【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
出力デバイスのデバイスドライバと、任意設定した当該デバイスドライバをインストールする際に用いられるホスト名を含むデバイス情報とをまとめたファイルを実行する情報処理装置であって、
前記ファイルの実行により、当該ファイルに含まれるデバイスドライバのインストールに用いられる前記ホスト名を取得するホスト名取得手段と、
前記ホスト名取得手段により取得されたホスト名と、当該ホスト名に対応するデバイスとの通信に用いられる第１の通信識別情報の入力を受け付ける入力部と、を表示する表示手段と、
を備えることを特徴とする情報処理装置。
【請求項２】
前記ファイルは、デバイスドライバのインストール後に実行するプログラムを含み、
前記デバイスドライバのインストールが完了したか否かを判定するインストール判定手段と、
前記インストール判定手段によりインストールが完了したと判定された場合に、前記プログラムを実行するプログラム実行手段と
を更に備え、
前記表示手段は、前記プログラム実行手段によるプログラムの実行により、ホスト名を取得し、前記ホスト名と当該ホスト名に対応する前記第１の通信識別情報入力受付画面を表示することを特徴とする請求項１に記載の情報処理装置。
【請求項３】
デバイスドライバのインストールにより、当該情報処理装置に既に登録されているデバイスのデバイス情報から、第２の通信識別情報を取得するデバイス通信識別情報取得手段と、
当該情報処理装置の第３の通信識別情報を取得する情報処理装置通信識別情報取得手段と、
前記取得した前記第２の通信識別情報と前記第３の通信識別情報を用いて、前記表示手段での通信識別情報の入力の補助となる情報を生成する入力情報生成手段と
を更に備え、
前記表示手段は、前記入力情報生成手段により生成された情報と、前記ホスト名取得手段により取得されたホスト名とを対応させて表示することを特徴とする請求項１又は２に記載の情報処理装置。
【請求項４】
前記情報処理装置が管理する管理情報から、ホスト名と通信識別情報とを取得する管理情報取得手段
を更に備え
前記表示手段は、前記管理情報取得により取得されたホスト名及び通信識別情報と、前記ホスト名取得手段により取得されたホスト名とを一覧表示することを特徴とする請求項１乃至３のいずれか１項に記載の情報処理装置。
【請求項５】
前記表示手段は、前記管理情報取得により取得されたホスト名及び通信識別情報と、前記ホスト名取得手段により取得されたホスト名とを識別可能に表示することを特徴とする請求項４に記載の情報処理装置。
【請求項６】
前記表示手段は、前記管理情報取得手段により取得されたホスト名及び通信識別情報の変更を抑止し、前記ホスト名取得手段により取得されたホスト名に対応付ける第１の通信識別情報の入力を可能に制御することを特徴とする請求項４又は５に記載の情報処理装置。
【請求項７】
出力デバイスのデバイスドライバと、任意設定した当該デバイスドライバをインストールする際に用いられるホスト名を含むデバイス情報とをまとめたファイルを実行する情報処理装置の処理方法であって、
前記情報処理装置は、
前記ファイルの実行により、当該ファイルに含まれるデバイスドライバのインストールに用いられる前記ホスト名を取得するホスト名取得ステップと、
前記ホスト名取得ステップにより取得されたホスト名と、当該ホスト名に対応するデバイスとの通信に用いられる第１の通信識別情報の入力を受け付ける入力部と、を表示する表示ステップと、
を含むことを特徴とする処理方法。
【請求項８】
出力デバイスのデバイスドライバと、任意設定した当該デバイスドライバをインストールする際に用いられるホスト名を含むデバイス情報とをまとめたファイルであり、情報処理装置で実行可能なプログラムであって、
情報処理装置を、
前記ファイルの実行により、当該ファイルに含まれるデバイスドライバのインストールに用いられる前記ホスト名を取得するホスト名取得手段と、
前記ホスト名取得手段により取得されたホスト名と、当該ホスト名に対応するデバイスとの通信に用いられる第１の通信識別情報の入力を受け付ける入力部と、を表示する表示手段と、
として機能させるためのプログラム。
【請求項９】
出力デバイスのデバイスドライバを任意の設定でインストールさせるファイルを生成する情報処理装置であって、
デバイスドライバをインストールする際に用いられるホスト名を含むデバイス情報を入力する入力手段と、
デバイスドライバのインストールに伴って実行させるプログラムを指定するプログラム指定手段と、
前記ファイルを実行した際に、前記デバイス情報と前記デバイスドライバとを用いたインストールの実行に伴って前記プログラム指定手段で指定されたプログラムを実行させ、当該プログラムにより前記インストールに用いられたホスト名を取得させ、取得されたインストールに用いられたホスト名と、取得されたインストールに用いられたホスト名に対応するデバイスとの通信に用いられる第１の通信識別情報の入力を受け付ける入力部と、を表示させるファイルをファイル生成手段と、
を備えることを特徴とする情報処理装置。
【請求項１０】
出力デバイスのデバイスドライバを任意の設定でインストールさせるファイルを生成する情報処理装置の処理方法であって、
デバイスドライバをインストールする際に用いられるホスト名を含むデバイス情報を入力する入力ステップと、
デバイスドライバのインストールに伴って実行させるプログラムを指定するプログラム指定ステップと、
前記ファイルを実行した際に、前記デバイス情報と前記デバイスドライバとを用いたインストールの実行に伴って前記プログラム指定ステップで指定されたプログラムを実行させ、当該プログラムにより前記インストールに用いられたホスト名を取得させ、取得されたインストールに用いられたホスト名と、取得されたインストールに用いられたホスト名に対応するデバイスとの通信に用いられる第１の通信識別情報の入力を受け付ける入力部と、を表示させるファイルを生成するファイル生成ステップと
を備えることを特徴とする情報処理装置の処理方法。
【請求項１１】
出力デバイスのデバイスドライバを任意の設定でインストールさせるファイルを生成する生成プログラムであって、
情報処理装置を
デバイスドライバをインストールする際に用いられるホスト名を含むデバイス情報を入力する入力手段と、
デバイスドライバのインストールに伴って実行させるプログラムを指定するプログラム指定手段と、
前記ファイルを実行した際に、前記デバイス情報と前記デバイスドライバとを用いたインストールの実行に伴って前記プログラム指定手段で指定されたプログラムを実行させ、当該プログラムにより前記インストールに用いられたホスト名を取得させ、取得されたインストールに用いられたホスト名と、取得されたインストールに用いられたホスト名に対応するデバイスとの通信に用いられる第１の通信識別情報の入力を受け付ける入力部と、を表示させるファイルを生成するファイル生成手段として機能させるための生成プログラム。
【手続補正２】
【補正対象書類名】明細書
【補正対象項目名】００１２
【補正方法】変更
【補正の内容】
【００１２】
本発明の目的を達成するための出力デバイスのデバイスドライバと、任意設定した当該デバイスドライバをインストールする際に用いられるホスト名を含むデバイス情報とをまとめたファイルを実行する情報処理装置であって、前記ファイルの実行により、当該ファイルに含まれるデバイスドライバのインストールに用いられる前記ホスト名を取得するホスト名取得手段と、前記ホスト名取得手段により取得されたホスト名と、当該ホスト名に対応するデバイスとの通信に用いられる第１の通信識別情報の入力を受け付ける入力部と、を表示する表示手段と、を備えることを特徴とする。